(57)【要約】【課題】光の反射を行う反射鏡の振動を簡易な構成で低減する。【解決手段】第２反射ミラー３７の振動を低減する低減部材２００、低減部材２００と第２反射ミラー３７との間に配置され粘弾性を有する粘弾性部材３００が設けられている。低減部材２００は、第２反射ミラー３７の長手方向に沿って設けられるとともに第２反射ミラー３７の第２面３７２に対向配置され、且つ板状に形成された基部２０５を有している。また、基部２０５に接続して設けられ第２反射ミラー３７の一端部に固定される第１固定部２１０、同じく基部２０５に接続して設けられ第２反射ミラー３７の他端部に固定される第２固定部２２０を有している。また、基部２０５に接続して設けられるとともに第１固定部２１０と第２固定部２２０との間に配置され、粘弾性部材３００を押圧する押圧部２３０を備えている。【選択図】図３
2012047792.tif 000002
【特許請求の範囲】
【請求項１】
長尺状に形成されるとともに長手方向における一端部および他端部にて支持され、光源からの光を反射する反射鏡と、
前記反射鏡の前記一端部に接触して配置された第１の接触部と、当該反射鏡の前記他端部に接触して配置された第２の接触部と、当該第１の接触部および当該第２の接触部に接続して設けられ当該反射鏡のうちの当該一端部と当該他端部との間に位置する部位の前記長手方向と交差する方向における変位を抑制する抑制部とを有し、当該反射鏡に取り付けられた取り付け部材と、
を含む光走査装置。
【請求項２】
前記一端部と前記他端部との間に位置する前記部位と前記抑制部との間に、粘弾性を有する粘弾性部材が設けられていることを特徴とする請求項１記載の光走査装置。
【請求項３】
前記抑制部は、弾性を有し、
前記抑制部の弾性係数の方が、前記粘弾性部材の弾性係数よりも大きいことを特徴とする請求項２記載の光走査装置。
【請求項４】
前記抑制部は、前記反射鏡の長手方向における中央部に対向して配置され当該中央部の変位を抑制することを特徴とする請求項１乃至３の何れかに記載の光走査装置。
【請求項５】
前記取り付け部材は、前記第１の接触部に対向して配置された第１の対向部と、前記第２の接触部に対向して配置された第２の対向部と、を更に有し、
前記第１の接触部と前記第１の対向部とにより前記反射鏡の前記一端部が挟まれ、前記第２の接触部と前記第２の対向部とにより当該反射鏡の前記他端部が挟まれることで、当該反射鏡に前記取り付け部材が取り付けられていることを特徴とする請求項１乃至４の何れかに記載の光走査装置。
【請求項６】
前記反射鏡の厚み方向における一方側に配置された前記第１の接触部および前記第２の接触部と、当該反射鏡の当該厚み方向における他方側に配置された前記抑制部と、により当該反射鏡が挟まれることで、当該反射鏡に前記取り付け部材が取り付けられていることを特徴とする請求項１乃至４の何れかに記載の光走査装置。
【請求項７】
前記反射鏡は、角柱状に形成され、前記光源からの光を反射する光反射面と、当該光反射面の反対側に位置する裏面と、当該光反射面と当該裏面とに接続された側面と、を有し、
前記抑制部は、前記光反射面が向いている方向における前記部位の変位を抑制するとともに、前記側面が向いている方向における当該部位の変位を抑制することを特徴とする請求項１乃至６の何れかに記載の光走査装置。
【請求項８】
前記取り付け部材は、線材に対し曲げ加工を施すことにより形成されていることを特徴とする請求項１乃至７の何れかに記載の光走査装置。
【請求項９】
像保持体と、
長尺状に形成されるとともに長手方向における一端部および他端部にて支持され光源からの光を反射する反射鏡の当該一端部に接触して配置された第１の接触部と、当該反射鏡の当該他端部に接触して配置された第２の接触部と、当該第１の接触部および当該第２の接触部に接続して設けられ当該反射鏡のうちの当該一端部と当該他端部との間に位置する部位の当該長手方向と交差する方向における変位を抑制する抑制部とを有した変位抑制部材を備え、前記像保持体に静電潜像を形成する光走査装置と、
を含む画像形成装置。
【請求項１０】
前記抑制部は、前記一端部と前記他端部との間に位置する前記部位に対向する対向部を有し、当該対向部を用いて当該部位の変位を抑制することを特徴とする請求項９記載の画像形成装置。
【請求項１１】
長尺状に形成されるとともに長手方向における一端部および他端部にて支持される光反射鏡の当該一端部に接触して配置される第１の接触部と、
前記光反射鏡の前記他端部に接触して配置される第２の接触部と、
前記第１の接触部および前記第２の接触部に接続して設けられ、前記光反射鏡のうちの前記一端部と前記他端部との間に位置する部位の前記長手方向と交差する方向における変位を抑制する抑制部と、
を備える変位抑制部材。
【請求項１２】
長尺状に形成されるとともに長手方向における一端部および他端部にて支持され、原稿に対し照射され当該原稿から反射された光を反射する反射鏡と、
前記反射鏡の前記一端部に接触して配置された第１の接触部と、当該反射鏡の前記他端部に接触して配置された第２の接触部と、当該第１の接触部および当該第２の接触部に接続して設けられ当該反射鏡のうちの当該一端部と当該他端部との間に位置する部位の前記長手方向と交差する方向における変位を抑制する抑制部とを有し、当該反射鏡に取り付けられた取り付け部材と、
を備える画像読み取り装置。
【発明の詳細な説明】
【技術分野】
【０００１】
本発明は、光走査装置等に関する。
【背景技術】
【０００２】
折り返しミラーを保持するための受け部を、折り返しミラーの長手方向の両端部及びその中間部の少なくとも１箇所に設けるとともに、折り返しミラーを受け部に押圧して固定するための押圧部材を、各受け部にそれぞれ対応して設けるようにした光走査装置が提案されている（例えば、特許文献１参照）。
また、ミラーは、走査光束が投射される有効利用範囲に加え余分な長さ部分を有し、このミラーのうちの、上記有効利用範囲に近接する走査方向両側の箇所及び上記余分な長さ部分に属する箇所が支持される光走査装置が提案されている（例えば、特許文献２参照）。
【先行技術文献】
【特許文献】
【０００３】
【特許文献１】特開平１１−３２６８０８号公報
【特許文献２】特開２０００−２４１７３５号公報
【発明の概要】
【発明が解決しようとする課題】
【０００４】
本発明の目的は、光の反射を行う反射鏡の振動を簡易な構成で低減することにある。
【課題を解決するための手段】
【０００５】
請求項１に記載の発明は、長尺状に形成されるとともに長手方向における一端部および他端部にて支持され、光源からの光を反射する反射鏡と、前記反射鏡の前記一端部に接触して配置された第１の接触部と、当該反射鏡の前記他端部に接触して配置された第２の接触部と、当該第１の接触部および当該第２の接触部に接続して設けられ当該反射鏡のうちの当該一端部と当該他端部との間に位置する部位の前記長手方向と交差する方向における変位を抑制する抑制部とを有し、当該反射鏡に取り付けられた取り付け部材と、を含む光走査装置である。
請求項２に記載の発明は、前記一端部と前記他端部との間に位置する前記部位と前記抑制部との間に、粘弾性を有する粘弾性部材が設けられていることを特徴とする請求項１記載の光走査装置である。
請求項３に記載の発明は、前記抑制部は、弾性を有し、前記抑制部の弾性係数の方が、前記粘弾性部材の弾性係数よりも大きいことを特徴とする請求項２記載の光走査装置である。
請求項４に記載の発明は、前記抑制部は、前記反射鏡の長手方向における中央部に対向して配置され当該中央部の変位を抑制することを特徴とする請求項１乃至３の何れかに記載の光走査装置である。
請求項５に記載の発明は、前記取り付け部材は、前記第１の接触部に対向して配置された第１の対向部と、前記第２の接触部に対向して配置された第２の対向部と、を更に有し、前記第１の接触部と前記第１の対向部とにより前記反射鏡の前記一端部が挟まれ、前記第２の接触部と前記第２の対向部とにより当該反射鏡の前記他端部が挟まれることで、当該反射鏡に前記取り付け部材が取り付けられていることを特徴とする請求項１乃至４の何れかに記載の光走査装置である。
請求項６に記載の発明は、前記反射鏡の厚み方向における一方側に配置された前記第１の接触部および前記第２の接触部と、当該反射鏡の当該厚み方向における他方側に配置された前記抑制部と、により当該反射鏡が挟まれることで、当該反射鏡に前記取り付け部材が取り付けられていることを特徴とする請求項１乃至４の何れかに記載の光走査装置である。
請求項７に記載の発明は、前記反射鏡は、角柱状に形成され、前記光源からの光を反射する光反射面と、当該光反射面の反対側に位置する裏面と、当該光反射面と当該裏面とに接続された側面と、を有し、前記抑制部は、前記光反射面が向いている方向における前記部位の変位を抑制するとともに、前記側面が向いている方向における当該部位の変位を抑制することを特徴とする請求項１乃至６の何れかに記載の光走査装置である。
請求項８に記載の発明は、前記取り付け部材は、線材に対し曲げ加工を施すことにより形成されていることを特徴とする請求項１乃至７の何れかに記載の光走査装置である。
【０００６】
請求項９に記載の発明は、像保持体と、長尺状に形成されるとともに長手方向における一端部および他端部にて支持され光源からの光を反射する反射鏡の当該一端部に接触して配置された第１の接触部と、当該反射鏡の当該他端部に接触して配置された第２の接触部と、当該第１の接触部および当該第２の接触部に接続して設けられ当該反射鏡のうちの当該一端部と当該他端部との間に位置する部位の当該長手方向と交差する方向における変位を抑制する抑制部とを有した変位抑制部材を備え、前記像保持体に静電潜像を形成する光走査装置と、を含む画像形成装置である。
請求項１０に記載の発明は、前記抑制部は、前記一端部と前記他端部との間に位置する前記部位に対向する対向部を有し、当該対向部を用いて当該部位の変位を抑制することを特徴とする請求項９記載の画像形成装置である。
【０００７】
請求項１１に記載の発明は、長尺状に形成されるとともに長手方向における一端部および他端部にて支持される光反射鏡の当該一端部に接触して配置される第１の接触部と、前記光反射鏡の前記他端部に接触して配置される第２の接触部と、前記第１の接触部および前記第２の接触部に接続して設けられ、前記光反射鏡のうちの前記一端部と前記他端部との間に位置する部位の前記長手方向と交差する方向における変位を抑制する抑制部と、を備える変位抑制部材である。
請求項１２に記載の発明は、長尺状に形成されるとともに長手方向における一端部および他端部にて支持され、原稿に対し照射され当該原稿から反射された光を反射する反射鏡と、前記反射鏡の前記一端部に接触して配置された第１の接触部と、当該反射鏡の前記他端部に接触して配置された第２の接触部と、当該第１の接触部および当該第２の接触部に接続して設けられ当該反射鏡のうちの当該一端部と当該他端部との間に位置する部位の前記長手方向と交差する方向における変位を抑制する抑制部とを有し、当該反射鏡に取り付けられた取り付け部材と、を備える画像読み取り装置である。
【発明の効果】
【０００８】
請求項１の発明によれば、本発明を採用しない場合に比べ、光の反射を行う反射鏡の振動を簡易な構成で低減することができる。
請求項２の発明によれば、反射鏡の振動をさらに低減することが可能となる。
請求項３の発明によれば、反射鏡の振動をさらに低減することが可能となる。
請求項４の発明によれば、反射鏡の振動をさらに低減することが可能となる。
請求項５の発明によれば、本発明を採用しない場合に比べ、取り付け部材の取り付け作業を簡易化することができる。
請求項６の発明によれば、本発明を採用しない場合に比べ、取り付け部材の取り付け作業を簡易化することができる。
請求項７の発明によれば、本発明を採用しない場合に比べ、反射鏡を反射した光による走査の位置がずれることが抑制される。
請求項８の発明によれば、本発明を採用しない場合に比べ、取り付け部材を簡易に製造可能となる。
【０００９】
請求項９の発明によれば、本発明を採用しない場合に比べ、光の反射を行う反射鏡の振動を簡易な構成で低減することができる。
請求項１０の発明によれば、本発明を採用しない場合に比べ、反射鏡のうちの一端部と他端部との間に位置する部位の変位を簡易な構成で抑制することが可能となる。
【００１０】
請求項１１の発明によれば、本発明を採用しない場合に比べ、光の反射を行う光反射鏡の振動を簡易な構成で低減することができる。
請求項１２の発明によれば、本発明を採用しない場合に比べ、光の反射を行う反射鏡の振動を簡易な構成で低減することができる。
【図面の簡単な説明】
【００１１】
【図１】画像形成装置の概略構成を示した図である。
【図２】露光装置の概略構成を示した図である。
【図３】第２反射ミラーの斜視図である。
【図４】第２反射ミラーの他の一形態を示した図である。
【図５】第２反射ミラーの断面図である。
【図６】第２反射ミラーの他の一形態を示した図である。
【図７】低減部材の他の一形態および第２反射ミラーを示した図である。
【発明を実施するための形態】
【００１２】
以下、添付図面を参照して本発明を実施するための形態について説明する。
図１は、画像形成装置１の概略構成を示した図である。この画像形成装置１は、用紙にトナー像を形成する画像形成部１０、加熱および加圧を行い画像形成部１０によって用紙上に形成されたトナー像を定着する定着部２０、および画像形成部１０に用紙を供給する用紙供給部３０が設けられている。
【００１３】
画像形成部１０は、感光体ドラム１１（像保持体の一例）、帯電装置１２、露光装置１３、現像装置１４、転写装置１５、およびクリーニング装置１６を備える。これらのうち、感光体ドラム１１は、その外周面に感光層を備えており、図中矢印方向に回転する。帯電装置１２は、感光体ドラム１１に接触した帯電ロールを有し、回転する感光体ドラム１１を予め定められた電位に帯電する。また、光走査装置の一例としての露光装置１３は、帯電装置１２によって帯電した感光体ドラム１１を選択的に露光して静電潜像を形成する。より具体的に説明すると、露光装置１３は、画像信号に基づいて点滅する光ビーム（レーザー光）を出力する半導体レーザ装置を光源として有するとともに、回転する感光体ドラム１１の外周面を回転多面鏡を用いて幅方向（軸方向）に走査する。これにより感光体ドラム１１の外周面上にて露光部の電位が減衰し、静電電位の差による潜像が形成される。なお露光装置１３の詳細については後述する。
【００１４】
また現像装置１４は、感光体ドラム１１上に形成された静電潜像をトナーで現像して感光体ドラム１１上にトナー像を形成する。転写装置１５は、ロール状に形成されるとともに感光体ドラム１１の軸方向に沿って設けられ、また感光体ドラム１１に接触して配置されている。また転写装置１５は、感光体ドラム１１との間に、用紙が通過する通過部を形成する。なお、感光体ドラム１１と転写装置１５とが対向する対向部であって、感光体ドラム１１に保持されているトナー像が用紙に転写される位置を、以下転写部Ｔｐと呼ぶ。転写装置１５は、バイアスを転写部Ｔｐに印加することにより、感光体ドラム１１上のトナー像を用紙に転写する。付言すると、転写装置１５は、転写装置１５と感光体ドラム１１との間に電界を形成することにより、感光体ドラム１１上のトナー像を用紙に転写する。クリーニング装置１６は、転写後に感光体ドラム１１上に残留するトナー等を除去する。
【００１５】
用紙供給部３０は、異なるサイズの用紙を画像形成部１０に対して供給可能なように第１給紙部３１〜第３給紙部３３を備えている。ここで第１給紙部３１〜第３給紙部３３は同様に構成されている。第１給紙部３１を一例に説明すると、第１給紙部３１は、用紙収容部４１、引き込みロール４３、および捌き機構４４を備える。これらのうち、用紙収容部４１は、上部が開口する直方体状の形状を有しておりその内部に用紙を収容する。引き込みロール４３は、用紙収容部４１に収容される用紙束のうち最上位の用紙に接触し、この最上位の用紙を捌き機構４４側に向けて送り出す。捌き機構４４は、例えば回転可能に配設されるフィードロールと回転が制限されたリタードロールとによって構成され、引き込みロール４３にて送り出された用紙を一枚ずつに捌く。また、捌いた一枚の用紙を後述する第１搬送ロール４５に向けて送り出す。
【００１６】
また用紙供給部３０は、第１搬送ロール４５、第２搬送ロール５５、および第３搬送ロール６５を備える。第１搬送ロール４５は、一対のロール状部材から構成され、第１給紙部３１の捌き機構４４から送られてくる用紙を搬送する。第２搬送ロール５５も、一対のロール状部材から構成され、第２給紙部３２の捌き機構４４から送られてくる用紙を搬送する。さらに、第３搬送ロール６５も、一対のロール状部材から構成され、第３給紙部３３の捌き機構４４から送られてくる用紙を搬送する。なお、第１搬送ロール４５および第２搬送ロール５５は、より下段の第２給紙部３２および第３給紙部３３から用紙が供給される際、この用紙を用紙経路８１１に向けて搬送する機能も有している。
【００１７】
第１搬送ロール４５の下流側に設けられた用紙経路８１１には、プレレジロール８５１およびレジストレーションロール(レジロール)８５２が取り付けられている。ここで、プレレジロール８５１は、第１搬送ロール４５を介して搬送されてきた用紙をさらに下流側に向けて搬送するとともに、レジロール８５２と協同してループ形成を行う。また、レジロール８５２は、一旦停止することにより用紙の搬送を一時的に止め、タイミングを合わせて回転を再開することにより、転写部Ｔｐに対してレジストレーション調整を施しながら用紙を供給する。また、用紙経路８１１は定着部２０を通過するように配置されている。
【００１８】
また画像形成装置１には、不図示のＰＣやスキャナ装置等からの画像データを受信する受信部４００、画像形成部１０、定着部２０、および用紙供給部３０の動作全般を制御する制御部５００が設けられている。また、受信部４００にて受信された画像データに画像処理を施した後に露光装置１３に画像データを出力する画像処理部６００が設けられている。さらに画像形成装置１には、ユーザからの指示を受け付けるとともに、ユーザに対してメッセージ等を表示するユーザインタフェース(ＵＩ)７００が設けられている。なお、制御部５００は、ＣＰＵ（Central Processing Unit）、ＲＯＭ（Read Only Memory）、ＲＡＭ（Random Access Memory）、およびＨＤＤ（Hard Disk Drive）（何れも不図示）により構成されている。ＣＰＵでは、処理プログラムが実行される。ＲＯＭには、各種プログラム、各種テーブル、パラメータ等が記憶されている。ＲＡＭは、ＣＰＵによる処理プログラムの実行時におけるワークエリア等として用いられる。
【００１９】
図２は、露光装置１３の概略構成を示した図である。
露光装置１３は、装置フレーム１３１を備えている。また露光装置１３は、この装置フレーム１３１の内部に、光源として、複数の光ビームを射出するレーザ装置（不図示）を備えている。また本実施形態では、このレーザ装置と感光体ドラム１１との間に、回転多面鏡３４（いわゆるポリゴンミラー）が設けられている。この回転多面鏡３４は、正多角形状の回転体を備えるとともにこの回転体の側面に複数の反射面を有し、この回転体の軸心を中心として回転する。この露光装置１３では、レーザ装置から射出された光ビームの上記反射面に対する入射角度が回転多面鏡３４の回転によって連続的に変化することで、光ビームは偏向される。これにより本実施形態では、光ビームが、感光体ドラム１１の外周面を、感光体ドラム１１の幅方向（軸方向、主走査方向）に走査するようになる。
【００２０】
また露光装置１３には、上記レーザ装置から回転多面鏡３４までの間に、コリメータレンズ、シリンダレンズ（何れも不図示）が設けられている。また、回転多面鏡３４の上記反射面から感光体ドラム１１までの間には、ｆθレンズ３５が設けられている。また、ｆθレンズ３５よりも光ビームの照射方向における下流側には、光ビームを反射する第１反射ミラー３６が設けられている。また、第１反射ミラー３６よりも光ビームの照射方向における下流側に、感光体ドラム１１に向けて光ビームを反射する第２反射ミラー３７が設けられている。さらに、第１反射ミラー３６よりも光ビームの照射方向における下流側、且つ、第２反射ミラー３７よりも光ビームの照射方向における上流側に、第２反射ミラー３７に入射する光ビームの角度を調整する第３反射ミラー３８が設けられている。
【００２１】
次に、露光装置１３に設けられた上記第２反射ミラー３７について詳細に説明する。
図３は、第２反射ミラー３７の斜視図である。なお、以下では第２反射ミラー３７について説明するが、第１反射ミラー３６、第３反射ミラー３８も、第２反射ミラー３７と同様に構成することができる。
【００２２】
反射鏡、光反射鏡の一例としての第２反射ミラー３７は、四角柱状に形成されているとともに長尺状に形成されている。また第２反射ミラー３７は、光ビームの反射を行う第１面３７１、この第１面３７１の反対側に位置する第２面３７２（裏面の一例）、第１面３７１および第２面３７２に直交する関係で配置されるとともに第１面３７１と第２面３７２とを接続する第３面３７３（側面の一例）、同じく第１面３７１および第２面３７２に直交する関係で配置されるとともに第１面３７１と第２面３７２とを接続する第４面３７４を有している。
【００２３】
ここで第２反射ミラー３７は、その両端部が、露光装置１３に設けられた上記装置フレーム１３１（図２参照）により支持されている。より具体的に説明すると、第２反射ミラー３７は、両端部の各々が不図示の板ばねにより装置フレーム１３１に押し付けられることにより、両端部が装置フレーム１３１により支持されている。さらに説明すると、図３に示すように、符号３Ａの三角形で示す箇所にて、第２反射ミラー３７は装置フレーム１３１により支持されている。
【００２４】
また本実施形態では、第２反射ミラー３７に取り付けられ第２反射ミラー３７の振動を低減する低減部材２００（取り付け部材、変位抑制部材の一例）、この低減部材２００と第２反射ミラー３７との間に配置され粘弾性を有する粘弾性部材３００が設けられている。
【００２５】
ここで粘弾性部材３００は、予め定められた厚みを有して形成されるとともに板状に形成されている。なお粘弾性部材３００は、例えば、ゴム部材により形成することができる。なお本実施形態では、粘弾性部材３００は、２つ設けられている。ここで、一方の粘弾性部材３００は、第２反射ミラー３７の第３面３７３に対向するように設けられているとともに、第２反射ミラー３７の長手方向における中央部に対向するように設けられている。また、他方の粘弾性部材３００は、第２反射ミラー３７の第４面３７４に対向するように設けられているとともに、第２反射ミラー３７の長手方向における中央部に対向するように設けられている。
【００２６】
次に低減部材２００について図５も参照しながら説明する。図５は、第２反射ミラー３７の断面図である。ここで、図５（Ａ）は図３のＶＡ−ＶＡ線における断面を示した図であり、図５（Ｂ）は図３のＶＢ−ＶＢ線における断面を示した図である。なお、図５（Ｃ）は後述する図４のＶＣ−ＶＣ線における断面を示した図であり、図５（Ｄ）は図４のＶＤ−ＶＤ線における断面を示した図である。
【００２７】
低減部材２００は、第２反射ミラー３７の長手方向に沿って設けられるとともに第２反射ミラー３７の第２面３７２に対向して配置され、且つ、板状に形成された基部２０５を有している。また、基部２０５に接続して設けられ第２反射ミラー３７の一端部に固定される第１固定部２１０、同じく基部２０５に接続して設けられ第２反射ミラー３７の他端部に固定される第２固定部２２０を有している。また、基部２０５に接続して設けられるとともに第１固定部２１０と第２固定部２２０との間に配置され、上記粘弾性部材３００を押圧する押圧部２３０を備えている。
【００２８】
ここで、第１固定部２１０は、基部２０５の一方の側縁（辺）から突出するとともに第２反射ミラー３７の第４面３７４に接触して配置される第１突出片２１１（第１の接触部の一例）、基部２０５の他方の側縁から突出するとともに第１突出片２１１に対向して配置され且つ第２反射ミラー３７の第３面３７３に接触して配置される第２突出片２１２（第１の対向部の一例）を有している。そして本実施形態では、この第１突出片２１１および第２突出片２１２が第２反射ミラー３７を挟みこむことで、第２反射ミラー３７に対し第１固定部２１０が固定された状態となっている。
【００２９】
また第２固定部２２０も、基部２０５の一方の側縁から突出するとともに第２反射ミラー３７の第４面３７４に接触して配置される第１突出片２２１（第２の接触部の一例）、基部２０５の他方の側縁から突出するとともに第１突出片２２１に対向して配置され且つ第２反射ミラー３７の第３面３７３に接触して配置される第２突出片２２２（第２の対向部の一例）を有している。そして本実施形態では、この第１突出片２２１および第２突出片２２２が第２反射ミラー３７を挟みこむことで、第２反射ミラー３７に対し第２固定部２２０が固定された状態となっている。
【００３０】
また押圧部２３０も、基部２０５の一方の側縁から突出する第１突出片２３１、基部２０５の他方の側縁から突出する第２突出片２３２を有している。そして本実施形態では、第１突出片２３１により、第２反射ミラー３７の第４面３７４に対向して配置された一方の粘弾性部材３００が押圧されるようになっている。また、第２突出片２３２により、第２反射ミラー３７の第３面３７３に対向して配置された他方の粘弾性部材３００が押圧されるようになっている。ここで押圧部２３０における第１突出片２３１および第２突出片２３２は、第２反射ミラー３７のうちの一端部と他端部との間に位置する部位の、第２反射ミラー３７の長手方向と交差する方向における変位を抑制する抑制部として捉えることができる。また、押圧部２３０における第１突出片２３１および第２突出片２３２は、第２反射ミラー３７のうちの一端部と他端部との間に位置する部位に対向する対向部として捉えることもできる。
【００３１】
ここで、低減部材２００は、板金に対し曲げ加工を施すことで形成されており、上記基部２０５、第１固定部２１０、第２固定部２２０、および押圧部２３０は、一体で形成されている。なお、低減部材２００は、このように一体で形成する場合に限らず、複数の部材を組み立てることにより形成してもよい。
【００３２】
ところで、本実施形態のように、第２反射ミラー３７の両端部にて第２反射ミラー３７を装置フレーム１３１に固定している場合、上記回転多面鏡３４を回転駆動するモータ等の振動などによって、第２反射ミラー３７が、両端部を節とし中央部をハラとして振動する。そしてこの振動に伴って、感光体ドラム１１上のスポット光（上記光ビームによるスポット光）も振動し、走査ピッチのムラを生じる。この結果、用紙に形成される画像に濃度ムラが生じるようになる。そこで本実施形態では、低減部材２００を設けることで第２反射ミラー３７の振動を抑えるようにしている。
【００３３】
ここで本実施形態では、第１固定部２１０および第２固定部２２０が、第２反射ミラー３７の端部に固定されているために、この第１固定部２１０および第２固定部２２０は、振動しにくい状態となっている。付言すると、第２反射ミラー３７は、装置フレーム１３１により端部が支持されており、第２反射ミラー３７の端部は振動が起こりにくい状態となっている。このため、第２反射ミラー３７の端部に取り付けられた第１固定部２１０および第２固定部２２０も振動しにくい状態となっている。
【００３４】
このため本実施形態では、この第１固定部２１０および第２固定部２２０に接続された基部２０５も振動しにくい状態となり、基部２０５に接続された押圧部２３０も振動しにくい状態となる。そしてこの場合、振動する第２反射ミラー３７の中央部と押圧部２３０との間で並進運動が起こりにくい状態となる。そしてこの場合、振動する第２反射ミラー３７の中央部と、振動が抑えられた押圧部２３０との間に位置する粘弾性部材３００に圧縮変形が起こり、第２反射ミラー３７の中央部における振動（変位）が抑えられるようになる。付言すると、図３における上下方向（第１面３７１（光反射面）が向いている方向と直交する方向（側面の一例としての第３面３７３が向いている方向））における振動が抑えられるようになる。さらに説明すると、感光体ドラム１１上の光スポットを感光体ドラム１１の周方向に移動させる振動が抑えられるようになる。
【００３５】
なお第２反射ミラー３７の中央部における振動は、例えば、装置フレーム１３１に設けられた突き当て部を第２反射ミラー３７の中央部に突き当てることで低減することができるが、この場合、装置フレーム１３１の形状が複雑になる。また、光ビームが通過していく光路の配置設計を行う際に手間を要するようになる。付言すると、露光装置１３では、小型化のために、装置フレーム１３１の内部にて光ビームが何度も反射する光路が形成されることが多く、第２反射ミラー３７を支持するための突き当て部を設ける場合、光路の配置設計に手間を要するようになる。また露光装置１３の小型化や低コスト化も難しくなる。
【００３６】
一方、本実施形態における構成では、第２反射ミラー３７の中央部（第２反射ミラー３７の一端部と他端部との間）が装置フレーム１３１と非接触状態となる。付言すると、第２反射ミラー３７の中央部が装置フレーム１３１から浮いた状態となる。この結果、本実施形態では、光路の配置設計の容易化が可能となる。また、光路の配置設計を行う際の自由度が高まるようになる。また本実施形態の構成では、第２反射ミラー３７の振動を抑える機構の占有体積が小さくなり、露光装置１３の小型化が実現可能となる。
【００３７】
また、第２反射ミラー３７の振動の低減は、例えば、光ビームの反射を行う有効範囲（反射領域）の両側に、第２反射ミラー３７を支持する部材を更に設けることで行うこともできる。付言すると、第２反射ミラー３７を支持する支持点を、第２反射ミラー３７の端部にて増やすことで、共振周波数を高め、第２反射ミラー３７の振動を低減することができる。しかしながらこの態様の場合、構造が複雑化してしまう。また、第２反射ミラー３７の振動の低減は、例えば、第２反射ミラー３７の中央部と装置フレーム１３１との間に、ゴム部材などを挟み込むことにより行うことができる。しかしながらこの場合、劣化などによりこのゴム部材が塑性変形を起こし、当初の振動低減効果が維持されにくい。
【００３８】
また、第２反射ミラー３７の振動の低減は、例えば、第２反射ミラー３７の裏面に対し、ゴムなどの減衰材および金属の平板を貼り付けることにより行うこともできる。しかしながら、この平板が薄い場合、振動の腹付近（第２反射ミラー３７の中央部付近）において、平板は第２反射ミラー３７と共に並進運動をするようになり、振動の低減効果は小さいものとなる。また、平板を厚くすると、振動の低減効果は高まるが、第２反射ミラー３７の巨大化による露光装置１３のサイズアップを招いてしまう。また、自重により第２反射ミラー３７が撓みやすくなってしまう。
【００３９】
なお、本実施形態の露光装置１３の製造（組み立て）を行う際には、まず、第２反射ミラー３７に対し低減部材２００を取り付ける。その後、低減部材２００が取り付けられた第２反射ミラー３７を露光装置１３の装置フレーム１３１に取り付ける。これにより本実施形態では、第２反射ミラー３７の振動を抑えることができる露光装置１３を簡易に製造できるようになる。付言すると、第２反射ミラー３７を装置フレーム１３１に取り付けた後に第２反射ミラー３７の振動を抑えるための部材を別途取り付けたりする工程や、第２反射ミラー３７の中央部を装置フレーム１３１に対し固定するなどの工程が不要となり、露光装置１３の製造工程が簡素化される。
【００４０】
なお第２反射ミラー３７の振動をより抑えるため、押圧部２３０に設けられた第１突出片２３１および第２突出片２３２の弾性係数（ばね定数）を、粘弾性部材３００の弾性係数（ばね定数）よりも大きくすることが好ましい。具体的に説明すると、例えば、ゴム系の粘弾性部材３００を用いる場合、第１突出片２３１および第２突出片２３２は、ばね鋼鋼材などで形成することが好ましくなる。なお、第１突出片２３１および第２突出片２３２は、例えば、長さ１０ｍｍ程度、厚さ０．２〜０．４ｍｍ程度とすることができる。
【００４１】
図４は、第２反射ミラー３７の他の一形態を示した図である。
図４および図５（Ｃ）、（Ｄ）を参照し、第２反射ミラー３７の他の一形態について説明する。本実施形態における第２反射ミラー３７は、上記と同様に構成されており、光ビームの反射を行う第１面３７１、この第１面３７１の反対側に位置する第２面３７２、第１面３７１および第２面３７２に直交する関係で配置された第３面３７３、同じく第１面３７１および第２面３７２に直交する関係で配置された第４面３７４を有している。なお上記の図３では、第１面３７１を図中手前側に位置させて第２反射ミラー３７を図示したが、図４では、第３面３７３を図中手前側に位置させて第２反射ミラー３７を図示している。
【００４２】
ここで本実施形態においても、図４に示すように、第２反射ミラー３７の振動を低減する低減部材２００、この低減部材２００と第２反射ミラー３７との間に配置され粘弾性を有する粘弾性部材３００が設けられている。
【００４３】
ここで本実施形態の粘弾性部材３００は、１つ設けられた状態となっている。また１つ設けられたこの粘弾性部材３００は、第２反射ミラー３７の長手方向における中央部に対向するように、また、第２面３７２に対向するように設けられている。一方、低減部材２００は、上記と同様、第２反射ミラー３７の第４面３７４に対向して配置された基部２０５と、基部２０５に接続して設けられ第２反射ミラー３７の一端部に固定される第１固定部２１０と、同じく基部２０５に接続して設けられ第２反射ミラー３７の他端部に固定される第２固定部２２０とを有している。また、基部２０５に接続して設けられるとともに第１固定部２１０と第２固定部２２０との間に配置され、上記粘弾性部材３００を押圧する押圧部２３０を備えている。
【００４４】
ここで本実施形態における第１固定部２１０は、第１突出片２１１を有し第２突出片２１２（図３参照）を有していない構成となっている。また、第２固定部２２０も、第１突出片２２１を有し第２突出片２２２（図３参照）を有していない構成となっている。また、押圧部２３０は、第２突出片２３２を有し第１突出片２３１（図３参照）を有していない構成となっている。ここで本実施形態における低減部材２００は、第２反射ミラー３７の第１面３７１側（第２反射ミラー３７の厚み方向における一方側）に配置された第１突出片２１１および第１突出片２２１と、第２面３７２側（第２反射ミラー３７の厚み方向における他方側）に配置された第２突出片２３２とで、第２反射ミラー３７を挟むことで、第２反射ミラー３７に固定された状態となっている。また本実施形態では、第１面３７１のうちの光ビームの反射を行う反射領域を外した箇所に、第１固定部２１０および第２固定部２２０が設けられている。
【００４５】
ここで本実施形態でも、第１突出片２１１および第１突出片２２１が、第２反射ミラー３７の端部に接触して配置されているため、この第１突出片２１１および第１突出片２２１は、振動しにくい状態となっている。このため、基部２０５、および、基部２０５に接続された第２突出片２３２も振動しにくい状態となっている。そしてこの場合も、振動する第２反射ミラー３７の中央部と第２突出片２３２との並進運動が起こりにくい状態となる。そしてこの場合、上記と同様、振動する第２反射ミラー３７の中央部と振動が抑えられた第２突出片２３２との間に位置する粘弾性部材３００に圧縮変形が起こる。これにより、第２反射ミラー３７の中央部における振動が抑えられるようになる。付言すると、図４における上下方向（第１面３７１（光反射面）が向いている方向）における振動が抑えられるようになる。さらに説明すると、感光体ドラム１１上の光スポットを感光体ドラム１１の軸方向に移動させる振動が抑えられるようになる。
【００４６】
第２反射ミラー３７の他の形態をさらに説明する。
図６は、第２反射ミラー３７の他の一形態を示した図である。
上記の実施形態は、いずれも、板状の部材により低減部材２００を形成した。ここで低減部材２００は、図６に示すように、線材に曲げ加工を施すことにより形成することができる。ここで本実施形態における低減部材２００は、上記と同様に、第３面３７３の対向位置に配置されるとともに第２反射ミラー３７の長手方向に沿って設けられた基部２０５、基部２０５に接続して設けられ第２反射ミラー３７の一端部に固定される第１固定部２１０、同じく基部２０５に接続して設けられ第２反射ミラー３７の他端部に固定される第２固定部２２０を有している。また、基部２０５に接続して設けられるとともに第１固定部２１０と第２固定部２２０との間に位置し、第２面３７２に対向して配置された粘弾性部材３００を押圧する押圧部２３０を備えている。
【００４７】
ここで本実施形態における第１固定部２１０は、線材の端部に対し曲げ加工を施すことにより形成され第１面３７１に対向して配置された対向部２１５を有している。また、第２固定部２２０も、線材の端部に対し曲げ加工を施すことにより形成され第１面３７１に対向して配置された対向部２２５を有している。また押圧部２３０も、基部２０５の長手方向における中央部に対し曲げ加工を施すことにより形成され第２面３７２に対向して配置された対向部２３５を有している。ここで本実施形態における低減部材２００は、第１面３７１側に配置された対向部２１５および対向部２２５と、第２面３７２側に配置された対向部２３５とにより、第２反射ミラー３７を挟むことで、第２反射ミラー３７に固定されている。また本実施形態でも、第１面３７１のうちの光ビームの反射を行う反射領域を外した箇所に、第１固定部２１０および第２固定部２２０が設けられている。
【００４８】
ここで本実施形態でも、対向部２１５および対向部２２５が、第２反射ミラー３７の端部に接触して配置されているため、この対向部２１５および対向部２２５は、振動しにくい状態となっている。このため、基部２０５、および、基部２０５に接続された対向部２３５も振動しにくい状態となっている。そしてこの場合も、振動する第２反射ミラー３７の中央部と対向部２３５との並進運動が起こりにくい状態となる。そしてこの場合、上記と同様、振動する第２反射ミラー３７の中央部と振動が抑えられた対向部２３５との間に位置する粘弾性部材３００に圧縮変形が起こる。これにより、第２反射ミラー３７の中央部における振動が抑えられるようになる。付言すると、図６における上下方向（第１面３７１（光反射面）が向いている方向）における振動が抑えられるようになる。さらに説明すると、感光体ドラム１１上の光スポットを感光体ドラム１１の軸方向に移動させる振動が抑えられるようになる。
【００４９】
なお上記では、光反射面として機能する第１面３７１が向いている方向と直交する方向における第２反射ミラー３７の振動（図３参照）、および、光反射面として機能する第１面３７１が向いている方向における第２反射ミラー３７の振動（図４、図６参照）の何れか一方の振動を抑える形態を説明した。ところで、次に説明する態様では、第１面３７１が向いている方向と直交する方向における振動、および、第１面３７１が向いている方向における振動の両者を低減することができる。
【００５０】
図７は、低減部材２００の他の一形態および第２反射ミラー３７を示した図である。なお同図（Ａ）は、図３の矢印ＶＩＩＡ方向から低減部材２００および第２反射ミラー３７を眺めた場合の図である。また、図７（Ｂ）は、低減部材２００の展開図である。なお基本的な構成は、図３にて示した構成と同様であり、以下の説明では、異なる点を中心に説明する。
【００５１】
本実施形態では、図７（Ｂ）に示すように、板状に形成された基部２０５に対しコの字状の溝２９０が形成されている。そして本実施形態では、この溝２９０により囲まれた領域の一部が折り曲げられ、図７（Ａ）に示すように、第２反射ミラー３７側に向かって突出するとともに第２反射ミラー３７の第２面３７２を押圧する押圧片２９１が設けられた構成となっている。なおこの押圧片２９１と第２面３７２との間には、上記と同様、粘弾性部材３００が設けられている。図３に示した態様では、光反射面として機能する第１面３７１が向いている方向と直交する方向における振動が抑えられるが、本実施形態の構成の場合、第１面３７１が向いている方向における振動も抑えられるようになる。
【００５２】
なお図４にて示した実施形態でも、基部２０５に対し上記の押圧片２９１を設けることで、第１面３７１が向いている方向における振動、および、第１面３７１が向いている方向と直交する方向における振動を抑えることができる。さらに、図６にて示した実施形態態様でも、第１面３７１が向いている方向における振動、および、第１面３７１が向いている方向と直交する方向における振動を抑えることができる。なお図６に示した態様では、例えば、第２面３７２に対向して配置された対向部２３５を、第４面３７４にも対向するように延長する。また、この第４面３７４と延長された対向部２３５との間に粘弾性部材３００を配置する。これにより、第１面３７１が向いている方向における振動、および、第１面３７１が向いている方向と直交する方向における振動を抑えることができる。
【００５３】
なお上記では、露光装置１３に設けられた第２反射ミラー３７に対し低減部材２００を取り付けた場合を一例に説明したが、画像読み取り装置（スキャナ装置）などに設けられたミラーなどに対しても低減部材２００を取り付けることができる。画像読み取り装置では、原稿における被読み取り部とＣＣＤ（Charge Coupled Device）などの画像読み取り部との間に、原稿からの反射光を反射するミラーが設けられることがあるが、このミラーに対し上記の低減部材２００を取り付けることができる。画像読み取り装置においても、スキャンを行う際にモータなどが駆動され、このモータなどによりミラーが振動する場合がある。上記の低減部材２００を取り付けることでミラーの振動が抑制され、読み取られる画像の質が向上するようになる。
【符号の説明】
【００５４】
１…画像形成装置、１１…感光体ドラム、１３…露光装置、３７…第２反射ミラー、２００…低減部材、２１１…第１突出片、２１２…第２突出片、２２１…第１突出片、２２２…第２突出片、２３０…押圧部、２３１…第１突出片、２３２…第２突出片、３００…粘弾性部材、３７１…第１面、３７２…第２面、３７３…第３面
【図１】
2012047792.tif 000003
【図２】
2012047792.tif 000004
【図３】
2012047792.tif 000005
【図４】
2012047792.tif 000006
【図５】
2012047792.tif 000007
【図６】
2012047792.tif 000008
【図７】
2012047792.tif 000009